(57)【特許請求の範囲】
【請求項１】
被切削材に予め形成された下穴に挿入され、この下穴の内壁面を切削加工して所定の内径の加工穴を形成する切削工具であって、
軸線回りに回転される略円柱状の工具本体を有し、
該工具本体の先端外周に、工具先端面と工具外周側面に向けて開口された凹溝が周方向に間隔を空けて複数形成されており、
これら複数の凹溝に、一面に工具径方向外側に突出する切刃を備えたカートリッジが、前記一面と対向する底面を該凹溝の工具回転方向前方を向く当接面に当接するようにして取り付けられるとともに、
前記カートリッジの工具径方向内側を向く面には、前記軸線に直交する断面において前記底面と鋭角に交差するように傾斜する被押圧面が形成され、
前記凹溝の工具径方向内側には、前記工具本体の先端部が断面円形の穴状に切り欠かれて形成された切欠部が設けられ、
この切欠部の底部には、クサビ取付ネジ孔が、前記円形の中心から工具径方向内側に偏った位置に形成され、
該切欠部には、前記被押圧面に当接して前記カートリッジを押圧する径方向調整クサビが挿入され、
この径方向調整クサビは、正面視にて円形の一部が直線状に切除された円柱形状をなしており、その内部には、該径方向調整クサビを前記工具本体の前記切欠部に取り付けるためのクサビ取付ネジが挿通されるクサビ挿通孔が、正面視における前記円形の中心から、切除された直線とは反対側に偏った位置に設けられ、前記正面視にて直線状とされた該径方向調整クサビの面は、工具回転方向へ向かうに従い工具径方向外側へ向かうとともに、工具先端方向に向かうに従って工具径方向外側へ向かうように傾斜する押圧面とされ、
前記クサビ挿通孔に挿通された前記クサビ取付ネジが前記クサビ取付ネジ孔にねじ込まれることによって、前記径方向調整クサビの前記押圧面が前記カートリッジの前記被押圧面を押圧して前記切刃の工具径方向の突出量を調整することを特徴とする切削工具。
【請求項２】
前記径方向調整クサビが、前記被押圧面と等しい角度で傾斜し前記被押圧面を垂直に押圧する押圧面を備えていることを特徴とする請求項１に記載の切削工具。
【請求項３】
前記軸線に垂直な断面において、前記底面に垂直な直線に対する前記被押圧面の傾斜角θが、０°＜θ≦３０°の範囲に設定されていることを特徴とする請求項１又は２に記載の切削工具。
【発明の詳細な説明】
【技術分野】
【０００１】
本発明は、下穴に予め形成された下穴の内壁面を所定の内径に切削加工する際に使用されるボーリングバー等の切削工具に関する。
【背景技術】
【０００２】
近年、エンジンのシリンダーボアの加工等に用いられる切削工具として、例えば、特許文献１に示されるような、切刃を有するインサートを工具本体の先端部外周に着脱可能に装着したものが知られている。
【０００３】
上記の切削工具は、アダプタ等を介して工具本体が工作機械の主端軸に取り付けられ、工具本体の軸線回りに高速回転されるとともに、工具本体の軸線方向に送りを与えられ、被切削材に予め設けられた下穴に挿入され、工具本体の先端部に工具径方向外側に向かって突出するように設けられた切刃によって下穴の内壁面を切削加工し、所定の内径の加工穴を形成するものである。
【０００４】
この切削工具では、先端部に設けられたインサートの切刃による下穴の内壁面の切削加工を高精度に行うためには、切刃の工具本体径方向の位置調整を行って、切刃の突出量を加工対象となる下穴に適したものに設定する必要がある。また、切刃は、使用初期段階での磨耗量が大きく、切削工具の使用途中で切刃の工具本体径方向の位置が変化していくため、磨耗した分を補うべく工具本体径方向の位置の微調整を施す必要がある場合もある。さらに、通常は周方向に間隔を空けて複数の切刃が設けられており、それら複数の切刃の工具本体径方向の位置を等しくするために調整を施す必要もある。
【０００５】
そこで、図６に示すように、径方向調整クサビ２を設けて切刃４の工具本体径方向の突出量の調整を図る切削工具が提供されている。これは、軸線Ｏ回りに回転される長尺円柱状の工具本体１の先端外周に、工具本体１の工具先端面及び工具外周側面に開口する凹溝３が周方向に等しい間隔を空けて複数形成されており、切刃４を備えたインサート５を装着したカートリッジ６が、これら凹溝３の工具回転方向Ｔ前方を向く面７にその底面８を当接させて、インサート５の切刃４を工具径方向外側に突き出させるようにして取り付けられたものである。
【０００６】
そして、この切削工具においては、カートリッジ６に装着されたインサート５の切刃４における工具径方向の突出量、すなわち切刃４の振れを調整するための調整機構として、カートリッジ６の工具径方向内側を向く面９を押圧する径方向調整クサビ２が、凹溝３の工具径方向内側に挿入されている。この径方向調整クサビ２の軸線Ｏ方向の変位を調整することによって、径方向調整クサビ２がカートリッジ６の工具径方向内側を向く面９を押圧し、カートリッジ６が弾性変形することによって、インサート５の切刃４の工具径方向の突出量が調整される。
【特許文献１】特開２００３−２６６２１６号公報
【発明の開示】
【発明が解決しようとする課題】
【０００７】
ところで、上記の切削工具において切刃の径方向の突出量の調整を行う際には、カートリッジは凹溝の工具回転方向前方を向く当接面に該カートリッジの底面が当接するように固定されているが、径方向調整クサビによりカートリッジが径方向外側に向かって前記当接面に沿うように直線的に押圧されているため、場合によってはこのカートリッジの弾性変形によって、カートリッジの底面と凹溝の当接面との間に隙間が発生してしまうことがあった。
【０００８】
このカートリッジの底面と凹溝の当接面が密着している場合には該カートリッジは切削抵抗が作用する方向に固定されるため、切刃の位置を安定させて精度を高くして切削加工を行うことができるが、上記のように隙間が発生した場合には、切刃の位置が安定せず振動が発生し、加工精度の低下を招いてしまうという問題があった。また、隙間が空いた状態で切刃の突出量が調整されると、切削抵抗によってカートリッジの底面と凹溝の当接面が密着した状態では突出量が変化してしまい、これによって加工精度が低下することになる。
【０００９】
本発明はこのような課題に鑑みてなされたものであり、切刃の工具径方向の突出量を調整する際に、切刃を備えたカートリッジと、該カートリッジを切削抵抗が作用する方向に固定する工具本体の凹溝の工具回転方向前方を向く当接面との間に隙間が発生することを防止して、加工精度を高くして切削加工を行うことができる切削工具の提供を目的とする。
【課題を解決するための手段】
【００１０】
前記課題を解決するため、この発明は以下の手段を提案している。
即ち、本発明に係る切削工具は、被切削材に予め形成された下穴に挿入され、この下穴の内壁面を切削加工して所定の内径の加工穴を形成する切削工具であって、軸線回りに回転される略円柱状の工具本体を有し、該工具本体の先端外周に、工具先端面と工具外周側面に向けて開口された凹溝が周方向に間隔を空けて複数形成されており、これら複数の凹溝に、一面に工具径方向外側に突出する切刃を備えたカートリッジが、前記一面と対向する底面を該凹溝の工具回転方向前方を向く当接面に当接するようにして取り付けられるとともに、前記カートリッジの工具径方向内側を向く面には、前記軸線に直交する断面において前記底面と鋭角に交差するように傾斜する被押圧面が形成され、前記凹溝の工具径方向内側には、前記工具本体の先端部が断面円形の穴状に切り欠かれて形成された切欠部が設けられ、この切欠部の底部には、クサビ取付ネジ孔が、前記円形の中心から工具径方向内側に偏った位置に形成され、該切欠部には、前記被押圧面に当接して前記カートリッジを押圧する径方向調整クサビが挿入され、この径方向調整クサビは、正面視にて円形の一部が直線状に切除された円柱形状をなしており、その内部には、該径方向調整クサビを前記工具本体の前記切欠部に取り付けるためのクサビ取付ネジが挿通されるクサビ挿通孔が、正面視における前記円形の中心から、切除された直線とは反対側に偏った位置に設けられ、前記正面視にて直線状とされた該径方向調整クサビの面は、工具回転方向へ向かうに従い工具径方向外側へ向かうとともに、工具先端方向に向かうに従って工具径方向外側へ向かうように傾斜する押圧面とされ、前記クサビ挿通孔に挿通された前記クサビ取付ネジが前記クサビ取付ネジ孔にねじ込まれることによって、前記径方向調整クサビの前記押圧面が前記カートリッジの前記被押圧面を押圧して前記切刃の工具径方向の突出量を調整することを特徴としている。
【００１１】
このような構成の切削工具では、カートリッジの被押圧面が該カートリッジの底面に対して鋭角の傾斜面とされており、この被押圧面が径方向調整クサビによって押圧される。これにより、カートリッジが径方向外側に弾性変形し、該カートリッジに備えられた切刃の突出量を調整することができるとともに、カートリッジの底面に向かう分力が発生するため、カートリッジの底面と工具本体における凹溝の当接面とが密着させられる。従って、カートリッジが工具本体に対して切削抵抗が働く方向に固定されるため、切刃の位置を安定させて切削加工を行うことか可能となる。またこのように、カートリッジの底面と工具本体における凹溝の当接面を密着させた状態で切刃の突出量が調整されるため、より正確に該切刃の突出量の調整を行うことが可能となる。
【００１２】
さらに、径方向調整クサビがカートリッジの被押圧面を押圧する押圧力は、被押圧面の傾斜角度に応じて、径方向外側に向けての力とカートリッジの底面に向けての力とに一定の割合で二分されるため、径方向外側に向けての力が大きくなるにつれてカートリッジ底面に向けての力も大きくなる。従って、切刃の径方向の突出量を調整する際に、径方向調整クサビがカートリッジを径方向外側に向けて押圧する力が大きくなり、カートリッジに弾性変形が生じた場合であっても、カートリッジの底面に向けての力は工具径方向外側に向けて押圧する力に対応して大きくなっているため、カートリッジの底面と凹溝の当接面とを強固に密着させ、これらに隙間が発生することを確実に防止することが可能となる。
【００１３】
また、本発明に係る切削工具においては、前記径方向調整クサビが、前記被押圧面と等しい角度で傾斜し前記被押圧面を垂直に押圧する押圧面を備えていることを特徴としている。
【００１４】
カートリッジと径方向調整クサビが等しい傾斜角の被押圧面及び押圧面を備えており、この押圧面が被押圧面を垂直に押圧する構成とすることによって、径方向調整クサビのより少ない移動量でカートリッジの切刃の突出量を有効に調整することができる。
【００１５】
また、本発明に係る切削工具は、前記軸線に垂直な断面において、前記底面に垂直な直線に対する前記被押圧面の傾斜角θが、０°＜θ≦３０°の範囲に設定されていることが好ましい。これによって、より一層確実に、カートリッジを工具径方向外側かつ該カートリッジの底面に向かって押圧することができ、カートリッジの底面と工具本体の凹溝の当接面とを強固に密着させて隙間の発生を防止することができる。
【発明の効果】
【００１６】
本発明によれば、径方向調整クサビが、切刃を備えたカートリッジを工具径方向外側かつ該カートリッジの底面に向けて押圧することによって、切刃の工具径方向の突出量を調整する際に、該カートリッジと、該カートリッジを切削抵抗が作用する方向に固定する工具本体の凹溝の当接面との間に隙間が発生することを防止することができ、加工精度を高くして切削加工を行うことが可能となる。
【発明を実施するための最良の形態】
【００１７】
以下、本発明の切削工具の実施形態であるボーリングバーについて、図１から図５を用いて説明する。図１は本発明の実施形態であるボーリングバーを示す一部を破断した縦断面図、図２は本発明の実施形態であるボーリングバーの正面図、図３は図２におけるＸ−Ｘ線図、図４は図１の部分拡大図、図５は図２の部分拡大図である。図１に示すように、本実施の形態であるボーリングバー１０は、工具本体２０と、ガイドパッド３０と、カートリッジ４０と、軸方向調整クサビ５０と、径方向調整クサビ６０とから構成されている。
【００１８】
工具本体２０は、図１に示すように、例えば鋼材等から構成された軸線Ｏを中心として形成された長尺円柱状の形状を有しており、工具後端側（図２において右側）には、後端面が軸線Ｏに沿って凹んで形成された、図示しない工作機械等を取り付けるための取付穴２１が形成されている。また、工具本体２０の内部には、軸線Ｏに沿って延びるクーラント供給孔２２が穿設されており、該クーラント供給孔２２の一端は取付穴２１に開口されている。また、クーラント供給孔２２の先端部から、後述する複数設けられた凹溝２５のそれぞれに向かってクーラント供給路２３が形成されている。
【００１９】
また、工具本体２０の外周には、ガイドパッド３０を取り付けるためのパッド取付部２４が、図３に示すように円周方向に等間隔で複数（本実施形態においては６つ）設けられており、該パッド取付部２４は、工具本体２０がその断面において外周側から工具径方向内側に向かってコの字状に切り欠かれ、これが軸線Ｏに平行に延びるようにして形成されている。
【００２０】
さらに、工具本体２０の先端部外周には、工具先端面と工具外周側面に向けて開口し、これが工具後端側に向けて一定距離延びるようにして形成された凹溝２５が、円周方向に等間隔を空けて複数（本実施形態においては６つ）形成されている。
【００２１】
該凹溝２５は、軸線Ｏに垂直な断面においてコの字状の形状を有しており、その工具径方向外側を向く面には、後述するカートリッジ４０を固定するためのカートリッジ取付ネジ孔２６ａが形成されたカートリッジ取付座２６が形成されており、図２に示すように、この工具径方向外側を向く面におけるカートリッジ取付座２６よりも工具回転方向Ｔ前方側の部分に前述のクーラント供給路２３の開口部２３ａが形成されている。また、凹溝２５の工具回転方向Ｔ前方を向く面は、後述するカートリッジ４０の底面４０ａが当接する当接面２７とされている。
【００２２】
また、詳しくは図４に示すように凹溝２５の工具後端側には、工具本体２０の外周が切り欠かれるようにして形成された、軸方向調整クサビ５０を挿入するための第１切欠部２８が設けられており、該第１切欠部２８の底部にはクサビ取付ネジ孔２８ａが形成されている。そして、図２に示すように、凹溝２５における取付座２６の工具径方向内側には、工具本体２０の先端部が断面略円形の穴状に切り欠かれて形成された、径方向調整クサビ６０を挿入するための第２切欠部２９が軸線Ｏに平行に設けられており、この第２切欠部２９の底部にも、クサビ取付ネジ孔２９ａが、前記円形の中心から工具径方向内側に偏った位置に形成されている。
【００２３】
カートリッジ４０は、略四角柱状の形状を有しており、その長手方向に延びる一面４１の先端側には一段窪むようにしてインサート取り付け座４２が形成され、このインサート取付座４２が設けられた面４１を工具回転方向Ｔ前方側に向けた状態で、カートリッジ取付座２６と、当接面２７とに密着させられて凹溝２５に収容されている。なお、カートリッジ４０における一面４１に対向して、該当接面２７に当接する面が、カートリッジ４０の底面４０ａとされている。そして、カートリッジ４０の工具径方向外側を向く面４３に設けられたネジ挿入孔４３ａにカートリッジクランプネジ４４を工具径方向内側に向けて挿入し、該カートリッジ取付座２６に設けられたカートリッジ取付ネジ孔２６ａにねじ込むことによって、カートリッジ４０が工具径方向内側に押圧されて凹溝２５に取り付けられている。
【００２４】
また、このカートリッジ４０の工具後端側を向く面４５には、工具径方向外側へ向かうに従い工具先端方向へ向かうように傾斜する第１被押圧面４５ａが形成されている。さらに、カートリッジ４０における凹溝２５の取付座２６に接する工具径方向内側を向く面４６の先端部には、工具回転方向Ｔへ向かうに従い工具径方向外側へ向かうとともに、工具先端方向に向かうに従って工具径方向外側へ向かうように傾斜する第２被押圧面４６ａが形成されている。従って、この第２被押圧面４６ａは、図２に示すように、軸線Ｏに直交する断面においてカートリッジ４０の底面４０ａと鋭角に交差するように傾斜している、
【００２５】
カートリッジ４０のインサート取付座４２に取り付けられるインサート４７は、超硬合金等の硬質材料で構成され、正面視にて略正方形の平板状の形状を有しており、該インサート４７の平面視中央部に挿通されたインサート取付ネジ４７ａによって、インサート取付座４２に固定されている。その際、インサート４７に設けられた切刃４８が、該カートリッジ４０の工具径方向外側を向く面４３よりも工具径方向外側へ突出するように設けられている。
【００２６】
軸方向調整クサビ５０は、鋼材等で構成され、その内部には、該軸方向調整クサビ５０を工具本体２０の第１切欠部２８に取り付けるためのクサビ取付ネジ５１が挿通されるクサビネジ挿通孔５２が設けられている。また、この軸方向調整クサビ５０が工具本体２０の第１切欠部２８に取り付けられた状態における該軸方向調整クサビ５０の工具先端側を向く面は、工具径方向外側へ向かうに従い工具先端方向へ向かうように傾斜する押圧面５３とされている。そして、クサビ取付ネジ５１がクサビ取付ネジ孔２８ａに螺合して、工具径方向内側へ向かってねじ込まれることによって、軸方向調整クサビ５０の押圧面５３と、カートリッジ４０の第１被押圧面４５ａとが当接されている。
【００２７】
径方向調整クサビ６０は、鋼材等で構成されており、図２に示すように正面視にて円形の一部が直線状に切除された略円柱形状をしており、その内部には、該径方向調整クサビ６０を工具本体２０の第２切欠部２９に取り付けるためのクサビ取付ネジ６１が挿通されるクサビ挿通孔６２が、正面視における前記円形の中心から、切除された直線に垂直にこの直線とは反対側に偏った位置に設けられている。また、正面視にて直線状とされた面は、工具回転方向Ｔへ向かうに従い工具径方向外側へ向かうとともに、工具先端方向に向かうに従って工具径方向外側へ向かうように傾斜する押圧面６３とされている。そして、クサビ取付ネジ６１がクサビ取付ネジ孔２９ａに螺合して、工具後端側へ向かってねじ込まれることによって、径方向調整クサビ６０の押圧面６３がカートリッジ４０の第２被押圧面４６ａを軸線Ｏに直交する断面において垂直に押圧するようにして、径方向調整クサビ６０がカートリッジ４０に当接している。
【００２８】
なお、本実施形態においては、径方向調整クサビ６０の押圧面６３及びカートリッジ４０の第２被押圧面４６ａは、図５に示すように、正面視、即ち軸線Ｏに垂直な断面におけるカートリッジ４０の底面４０ａに垂直な直線ｌに対する被押圧面の傾斜角θが、０°＜θ≦３０°の範囲に設定されており、特に好ましくは例えばθ＝１５°となるように傾斜されている。
【００２９】
以上のような構成のボーリングバー１０では、カートリッジ４０に取り付けられたインサート４７の切刃４８の軸線Ｏ方向の位置調整は、軸方向調整クサビ５０のクサビ取付ネジ５１を工具径方向内側にねじ込んで、軸方向調整クサビ５０を工具径方向内側に移動させることによって、軸方向調整クサビ５０の押圧面５３がカートリッジ４０の第１被押圧面４５ａを押圧することにより行われる。従って、径方向調整クサビ６０の工具径方向の位置を調整することによって、インサート４７の切刃４８の軸線Ｏ方向の位置を調整することが可能となる。これによって複数（本実施形態では６つ）設けられたインサート４７の切刃４８のそれぞれの軸線Ｏ方向の位置を一致させることができるため、各切刃４８が均等に負担を強いられながら切削を行うことができるようになる。
【００３０】
また、カートリッジ４０に取り付けられたインサート４７の切刃４８の工具径方向の位置調整、即ち、切刃４８の振れの調整は、径方向調整クサビ６０のクサビ取付ネジ６１を工具後端側に向かってねじ込んで、径方向調整クサビ６０を工具後端側に移動させることによって、径方向調整クサビ６０の押圧面６３がカートリッジ４０の第２被押圧面４６ａを押圧することにより行われる。これによって、カートリッジ４０が工具径方向外側に弾性変形し、カートリッジ４０に備えられた切刃４８の径方向の突出量が調整される。
【００３１】
そして、カートリッジ４０の第２被押圧面４６ａは、軸線Ｏに直交する断面において該カートリッジ４０の底面４０ａに鋭角に交差するように形成されているため、径方向調整クサビ６０が第２被押圧面４６ａを押圧する際には、カートリッジ４０の底面４０ａに向かう分力が発生する。これによりカートリッジ４０の底面４０ａと、工具本体２０における凹溝２５の当接面２７とが密着させられるため、カートリッジ４０が工具本体２０に対して切削抵抗が働く方向に固定され、切刃４８の位置を安定させて、精度を高くして切削加工を行うことが可能となる。
【００３２】
またこのように、カートリッジ４０の底面４０ａと工具本体２０における凹溝２５の当接面２７とを密着させた状態で切刃の突出量が調整されるため、より正確に該切刃の突出量の調整を行うことが可能となる。
【００３３】
さらに、径方向調整クサビ６０がカートリッジ４０の第２被押圧面４６ａを押圧する押圧力は、第２被押圧面４６ａの傾斜角度θに応じて、径方向外側に向けての力とカートリッジ４０の底面４０ａに向けての力とに一定の割合で二分されるため、径方向外側に向けての力が大きくなるにつれてカートリッジ４０の底面４０ａに向けての力も大きくなる。従って、切刃４８の径方向の突出量を調整する際に、径方向調整クサビ６０がカートリッジ４０を径方向外側に向けて押圧する力が大きくなり、カートリッジ４０に弾性変形が生じた場合であっても、カートリッジ４０の底面に向けての力は工具径方向外側に向けて押圧する力に対応して大きくなっているため、カートリッジ４０の底面４０ａと工具本体２０の凹溝２５の当接面２７とを強固に密着させ、これらに隙間が発生することを確実に防止することが可能となる。
【００３４】
また、前記径方向調整クサビ６０の押圧面６３はカートリッジ４０の第２被押圧面４６ａに、該第２被押圧面４６ａを垂直に押圧するように当接されているため、径方向調整クサビ６０のより少ない移動量でカートリッジ４０の切刃４８の突出量を有効に調整することができるようになっている。
【００３５】
さらに、軸線Ｏに垂直な断面において、カートリッジ４０の底面４０ａに垂直な直線に対する第２被押圧面４６ａの傾斜角θが、０°＜θ≦３０°の範囲に設定されており、好ましくは１５°に設定されているため、より一層確実に、カートリッジ４０を工具径方向外側かつ該カートリッジ４０の底面に向かって押圧することができ、カートリッジ４０の底面４０ａと工具本体２０の凹溝２５の当接面２７とを強固に密着させて隙間の発生を防止することができる。
【００３６】
以上、本発明の切削工具の実施形態であるボーリングバーについて説明したが、本発明はこれに限定されることなく、その発明の技術的思想を逸脱しない範囲で適宜変更可能である。例えば、前記実施形態では径方向調整クサビ６０によりカートリッジ４０の第２被押圧面４６ａを垂直に押圧しているが、当接面２７に平行な方向等、第２被押圧面４６ａに斜交する方向に押圧してもよい。
【図面の簡単な説明】
【００３７】
【図１】本発明の実施形態であるボーリングバーを示す一部を破断した縦断面図である。
【図２】本発明の実施形態であるボーリングバーの正面図である。
【図３】図１におけるＸ−Ｘ線図である。
【図４】図１の部分拡大図である。
【図５】図２の部分拡大図である。
【図６】従来のボーリングバーの正面図である。
【符号の説明】
【００３８】
１０    ボーリングバー
２０    工具本体
２５    凹溝
２９    第２切欠部
２７    当接面
４０    カートリッジ
４０ａ  底面
４６ａ  第２被押圧面
４８    切刃
６０    径方向調整クサビ
６３    押圧面
Ｏ      軸線
Ｔ      工具回転方向
ｌ      カートリッジの底面に垂直な直線
θ      傾斜角
【図１】
0005266684.tif 000002
【図２】
0005266684.tif 000003
【図３】
0005266684.tif 000004
【図４】
0005266684.tif 000005
【図５】
0005266684.tif 000006
【図６】
0005266684.tif 000007